(57)【特許請求の範囲】
【請求項１】
根を有する植物の生育を活性化させることを意図して用いる溶液状生育活性化液であって、銀イオンを０．０００５mｇ／ｌ以上０．０２５mｇ／ｌ以下の濃度で含む、根を有する植物の栽培に使用する生育活性化液。
【発明の詳細な説明】
【技術分野】
【０００１】
本発明は、植物栽培土壌微生物、植物栽培養液微生物及び植物の付着共生微生物あるいは内部共生微生物を不完全にしか排除しない濃度の銀イオンを含有する、根を有する植物の栽培のために用いる植物生育を活性化させる液状物質に関するものである。
【背景技術】
【０００２】
銀イオンはウイルス及び細菌等の病原微生物の抗菌剤・消毒剤・除菌剤として使用され、所定の効果を持つ製品及び用法に有効に適用されてきた。したがって、銀イオンは主として健康衛生分野、医療分野、食品産業分野等において微生物病の発生を予防し阻止するための資材として使用されてきている。
【０００３】
本出願人及び本発明者は、植物栽培土壌微生物及び植物栽培養液微生物及び植物の付着共生微生物及び／又は植物の内部共生微生物を不完全にしか排除できない低濃度の銀イオンを含有する水溶液が、植物育成環境改善に顕著な効果を持つことを発見し本発明に至った。
【０００４】
土壌栽培及び養液栽培において生育する植物は、全くの無菌環境（微生物フリー）で生きていることは極めて特殊な環境における以外にはあり得ず、多くの場合においては細菌や古細菌及び菌類等の微生物と共生して生育している。それら微生物と植物との共生は、単に共に生存場を共にしているだけという場合もあるが、多くのケースでは片利的或は相利的な共生関係を形成している。片利共生の関係においては、微生物が植物に対して病原性を持つ場合があるが、そうではない片利共生及び相利共生の関係が普遍的に見られことに比較して、病原性を示すに至る片利共生のケースはごく稀に見られるに過ぎない。したがって、土壌環境や水環境に生存する多くの微生物は植物の生育にとって無害であるか、むしろその生育を促進させる役割を果たしている。
【０００５】
一定濃度以上の銀イオンを含有するウイルス及び細菌等の病原微生物の抗菌剤・消毒剤は、微生物を排除することによって微生物感染症の発生を防止することに有効に使われており、健康衛生分野・医療分野・食品産業分野等において重要な銀イオンの適用技術分野を形成するに至っている。しかしながら、農業・林業・園芸等の植物の栽培を必須とする産業分野においては、前述の微生物と植物との共生関係の維持が必要とされることから、ほぼ全ての微生物を排除する一定濃度以上の高濃度の銀イオンの制菌や消毒といった特性は、むしろ逆効果をもたらすことが多かった。
【０００６】
本発明の製品及びその適用技術は、銀イオンの抗菌剤・消毒剤として有効な最低濃度を検討する研究において得られた研究結果により発見するに至った。脱塩素水を用いて希釈した銀イオン(Ag+)濃度が０．０６０mg/l以上の水溶液に３０分間暴露しその後NB寒天平板培地に塗布して生残菌数を測定したところ、供試したPseudomonas属細菌、Escherichia属細菌及びBacillus属細菌はすべて増殖活性を失いこの濃度の銀イオン水は完全な消毒効果を示した。脱塩素水を用いて希釈した銀イオン(Ag+)濃度が０．０５０mg/lから０．０３０mg/lの溶液に30分間暴露した供試細菌は、用いた３種類の供試細菌によって異なるものの、この範囲の銀イオン濃度にほぼ比例して増殖活性を失い、その平均失活率は４７〜６９％であった。つぎに、銀イオン濃度を０．０２５mg/l以下に低下させて同様に暴露しその消毒効果を見たところ、３種すべての供試細菌の平均失活率は２２％以下（生残率としては７８%以上）となった。
【０００７】
さらに、０.０２５mg/l以下の銀イオンを添加した水を用いて調製した発芽用寒天培養基にコマツナを播種し、銀イオン濃度を変化させてコマツナの発芽及び発根試験を行った。この発芽・発根試験は、２２℃に設定した人工気象機内で１サイクルが１２時間２５００lx 白色蛍光灯照射（明条件）・12時間蛍光灯非照射（暗条件）の下で行った。寒天培養基に添加した銀イオン濃度が０.０２５mg/lの場合の播種後５日目の平均幼茎長は、銀イオン濃度が０.０４０mg/l及び０.０３０mg/l の場合に比較してそれぞれ１.１８倍及び１.１３倍であった。一方、寒天培養基中の幼根長を同条件で比較したところ、銀イオン濃度を０.０２５mg/lとした場合の播種後5日目の平均幼根長は、銀イオン濃度が０.０４０mg/l及び０.０３０mg/lの場合との比較でそれぞれ１.５２倍及び１.３２倍となり、銀イオン濃度を０.０２５mg/l以下の低濃度として使用した場合に、特に幼根の伸長速度が顕著に大きくなることが知られた。コマツナの発芽率については、これら３段階の添加銀イオン濃度では大きな違いが見られなかった。
【０００８】
このようなコマツナ幼苗の成長に対する０.０２５mg/lの低濃度の銀イオンによる促進効果は、同一温度・同一光照射の条件で寒天培養基の銀イオン濃度をさらに低下させても銀イオン濃度が０．０００５mg/lまでほぼ同程度に観察することができた。しかし、銀イオン濃度を０.０００１mg/lとした場合の播種後５日目の平均幼茎長と平均幼根長は、銀イオン濃度を０.０３０mg/lとした場合の平均幼茎長と平均幼根長に比較して、それぞれ１.０倍及び１.０６倍となり大きな違いがなくなった。さらに銀イオン濃度を０.００００５mg/lにまで脱塩素水により希釈し低下させた場合の播種後５日目の平均幼茎長と平均幼根長は、銀イオン濃度を０.０３０mg/lとした場合の平均幼茎長及び平均幼根長との有意な差が認められなかった。
【０００９】
しかし、この０.０２５mg/l以下の銀イオンは4ヶ月間以上安定に一定濃度で保存することが困難であった。そこで本発明では、安定した濃度として長期間銀イオン水を保存可能にするために、銀イオン保存原液を銀イオン濃度が８mg/l以上の高濃度の水溶液として作製し、これを植物生育活性化液として実使用する直前に脱ハロゲン水を用いて希釈し、０.０２５mg/l以下０．０００５mg/l以上の低濃度銀イオン水を根を有する植物の生育活性化のための液として利用することによりこの課題を解決することを考えた。
【００１０】
前記のコマツナの発芽発根試験に用いた寒天培養基は、いずれも精製水を用いて調製したものであったが、塩素消毒処理を経た水道水を用いて発芽用寒天培養基を調製し、同様の人工気象機条件の下でコマツナの成長試験を行ったところ、精製水により調製した銀イオン添加寒天培養基を用いた結果とは異なり、銀イオンの実使用濃度を０.０１０mg/lとした場合における銀イオンによる植物成長の促進効果は見られなかった。そこで、低濃度銀イオンに対する水道水及びハロゲン化合物含有水に含まれる結合残留塩素等のハロゲン化合物による低濃度銀イオンの植物生育促進効果の発現に対する阻害が生じたと推定した。その阻害の排除のために、前記のハロゲン化合物を含む寒天培養基調製水にチオ硫酸ナトリウムを添加して、脱ハロゲン処理を行った後の水を用いて寒天培養基を調製し、コマツナ発芽発根試験を行った。
【００１１】
塩素消毒を経て給水された水道水の脱塩素を脱ハロゲン剤としてチオ硫酸ナトリウムの濃度を変えて行い、その都度残留する遊離ハロゲン化合物の濃度を測定した上で、コマツナの発芽発根試験用寒天培養基を調製し発芽発根試験を行った。その試験結果により、残留する遊離ハロゲン、結合残留ハロゲン化合物、及びハロゲン化物イオンの濃度を４.０μmol/l以下となるように脱ハロゲンを行うことにより、前記の０.０１０mg/l以下の低濃度銀イオンのコマツナ生育促進に対するハロゲン化合物による阻害を解消できることが分かった。
【００１２】
これまでの環境中での銀イオン(Ag+)の使用においては、還元性化合物と銀イオンが接触することにより、また銀イオンが不溶性塩を形成することによりイオン状態を保てなくなることが知られている。本発明においても、植物栽培土壌や植物栽培液中に存在する還元性化合物等と接触することにより、銀イオンがイオン状態から非イオン状態に変化することによって、植物の生育促進効果を失うことが予測される。このような銀イオンによる生育促進効果の喪失を防止するためには、還元されることによって陽イオン性を失った銀をふたたび酸化して銀イオン(Ag+)に戻すことが必要と考えられる。そこで、本発明では実使用濃度が０.０１０mg/l以下の低濃度の銀イオン水溶液に、光酸化触媒を重量比として銀イオン濃度の８倍量の濃度で添加して、銀イオンによる生育促進効果の回復について試験した。
【００１３】
まず、アルゴンガスを通気して脱酸素した脱塩素水を用いて銀イオン濃度が０.０１０mg/lの低濃度となるように希釈し、０.１０mg/lとなるようにジチオトレイトールを加えてブチルゴム栓で密封した状態で３０分間反応させ銀イオンを還元した後に、この水溶液を用いて発芽用寒天培養基を調製した。この寒天培養基にコマツナを播種し、２２℃に設定した人工気象機内で１サイクルが１３時間２５００lx白色蛍光灯照射（明条件）・１１時間蛍光灯非照射（暗条件）の下でコマツナの発芽及び発根試験を行った。その結果、ジチオトレイトールを加えなかった対照試験の結果に比較して、発芽率の変化はほぼなかったものの、コマツナ播種後３日目と５日目の平均幼茎長はそれぞれ１.０３倍及び０.９８倍であった。幼根長についても、播種後３日目及び５日目の平均幼根長は、ジチオトレイトールを加えなかった対照試験の結果に比較して、それぞれ０.９９倍及び１.０２倍となり、０.１０mg/lのジチオトレイトールを加えた場合には０.０１０mg/lの低濃度銀イオンによるコマツナ幼根の伸長促進効果は見られなかった。
【００１４】
次に、同じく脱酸素水及び脱塩素水を用いて調製した０.０２５mg/lの銀イオン及び０.２５mg/lのジチオトレイトールの反応水溶液に、光酸化触媒として平均一次粒子径が２５ nmサイズの二酸化チタンナノ粒子を０.２０mg/lとなるように添加した溶液により発芽用寒天培養基を調製し、この培養基を用いて白色蛍光灯２４００lx照射で２２℃に設定した人工気象機内で１３時間蛍光灯照射・１１時間蛍光灯非照射条件の下でコマツナの発芽及び発根試験を行った。その結果、０.２０mg/lの二酸化チタンを加えなかった対照試験の結果に比較して、発芽率の変化はほぼ認められなかったものの、コマツナ播種後５日目の平均幼茎長は１.３９倍となった。播種後５日目の平均幼根長は二酸化チタンを加えなかった対照試験の結果に比較して１.５４倍となり、０.０２５mg/lの銀イオンによる高い生育促進効果の復活が確認できた。これらの結果から、二酸化チタンナノ粒子が光照射条件下でジチオトレイトールによって還元生成した金属銀を酸化する光酸化触媒としての機能を発揮したことにより、銀イオン(Ag+)を再生して植物に対する低濃度銀イオンの生育促進効果を回復させたものと考えられた。
【００１５】
前記の試験において二酸化チタンナノ粒子の添加量を変化させ他の条件は変えずにコマツナの発芽・発根試験を行ったところ、０.００１mg/lを下回る二酸化チタンの添加では０.０２５mg/lの銀イオン添加によるコマツナの生育促進効果はほぼ認められなくなり、還元性化合物のジチオトレイトールと銀を酸化して銀イオン(Ag+)を再生するためには、二酸化チタンの添加量は少なくとも０.００１mg/l以上とすることが必要と考えられた。このような二酸化チタンによる銀イオン再生の効果は二酸化チタンの添加量は少なくとも０.００１mg/l以上とすることが必要と考えられた。一方、２０mg/lを上回る二酸化チタンを添加した場合には、銀イオンによるコマツナの生育促進効果は逆に減少し、２０mg/lを上回る濃度で二酸化チタンを添加することは光酸化反応が過剰に進行することによりコマツナ幼苗の生育に悪影響を与えることが知られた。
【００１６】
つぎに、二酸化チタンナノ粒子に代えて平均一次粒子径が４００nm以下の三酸化タングステン-パラジウム合金ナノ粒子と三酸化タングステン-銅合金ナノ粒子を用いて、１３時間２５００lx白色蛍光灯照射（明条件）・１１時間蛍光灯非照射（暗条件）及び２２℃設定で二酸化チタンの場合と全く同一の条件でコマツナの発芽・発根試験を行ったところ、コマツナの生育促進効果についてほぼ同じ結果を得ることができた。また、これらの合金ナノ粒子の生育促進効果のある濃度範囲も、二酸化チタンの濃度範囲と同じであった。これらのことから、三酸化タングステン-パラジウム合金粒子と三酸化タングステン-銅合金粒子は、二酸化チタンと同一濃度の添加により同様に光酸化触媒として作用し、還元された銀の再イオン化のための酸化触媒として機能できると考えられた。したがって、光触媒機能を有する三酸化タングステン-パラジウム合金ナノ粒子又は三酸化タングステン-銅合金ナノ粒子は、本発明による銀イオンを用いる植物育成促進の二酸化チタンナノ粒子の代替材料として利用できると考えられた。
【先行技術文献】
【特許文献】
【００１７】
【特許文献１】特開昭６３−０６０９０４
【特許文献２】特開昭６３−０６０９０５
【特許文献３】特開２００１−０１０９１３
【特許文献４】特開２００１−１４１２５２
【発明の概要】
【発明が解決しようとする課題】
【００１８】
本発明が解決しようとする課題は、根を有する植物の栽培における植物病発生の防止のためにこれまで必要であった消毒剤の使用量の削減を可能にすること、あるいは消毒剤の無使用化を可能にすることである。また、消毒剤の継続使用によって引き起こされる消毒剤耐性植物病原微生物の新たな出現を阻止することを可能にすることを解決課題とする。さらには、植物栽培における殺虫剤の使用量を削減するか無使用化にすることによって、農業・林業・園芸業・緑地造成業等の植物栽培を基盤とする産業をより環境配慮型の産業に転換することを課題とする。
【課題を解決するための手段】
【００１９】
上記の課題を解決するために、本発明では根を有する植物の栽培を消毒剤や殺虫剤等の防除薬剤の使用に全面的に頼るのではなく、植物が本来保有している病原微生物と昆虫等による食害に対する抵抗力や免疫力を増強することを基本的手段として、植物栽培における消毒剤と殺虫剤の使用量の削減又は不要化の課題を解決する。この基本的手段を実現するためには、根を有する植物の生育を活性化させることによって植物が持つ栄養摂取能と生長能を最大限に引き出すことが重要と考えられる。これらの能力の発現は、栽培植物に健全な生育を促進し、その結果として植物病原微生物への免疫力及び抵抗力と昆虫等による食害に対する抵抗力を付与すると考えられる。
【００２０】
根を有する植物が本来持っている栄養摂取能力と生長能力を最大限発揮させるためには、発芽発根後の幼苗期と植物ルート部（根及び地下茎）及び植物シュート部（茎及び葉等）の成長期における旺盛で健全な生育を促すことが必要である。幼苗期にあっては、特に植物根による栄養素の摂取と水分の吸収を必要とするために、植物ルート部の旺盛な伸長が植物病への抵抗力を獲得する上で重要である。本発明者らは、発明の請求項１に記載した植物の付着共生微生物及び／又は植物の内部共生微生物を不完全にしか排除できない実使用濃度０.０２５mg/l以下の低濃度の銀イオンを含有させるに当たり、４.０μmol/l以上の遊離ハロゲン分子及び／又はハロゲン酸化合物及び／又は亜ハロゲン酸化合物及び／又は次亜ハロゲン酸化合物及び／又はクロルアミン類及びブロモアミン類等のハロゲン化合物を含有しないように脱ハロゲンした水を用いて、この銀イオンを溶解及び／又は希釈した銀イオンを含有する、根を有する植物の栽培に使用する溶液状生育活性化液の発明に至った。
【００２１】
従来技術によれば、銀イオンによる植物根の伸長効果は０.０３０mg/l（＝３０ppb）以下の低濃度では効果がないとされてきた。しかし、本発明では、このような低濃度領域における銀イオンによる根伸長への効果の喪失現象は、栽培土や栽培水中に存在するハロゲン化合物の妨害効果によるものであることを見出した。これにより、このような銀イオンによる植物根の伸長効果に対する妨害は、銀イオン溶液を作成する際に使用する水のハロゲンを含む化合物の濃度が４.０μmol/l以下となるように脱ハロゲン処理をすることによって解決可能となることを発見した。
【００２２】
従来の方法では、銀イオン水溶液を銀イオンが０.０３mg/l以下の場合、安定な濃度で一週間以上保存することは技術的に困難であった。しかし、本発明では銀イオン保存液を８mg/l以上の銀イオン濃度となるように作製することによって、銀イオン濃度を長期間安定に維持することが可能であることが知られたことから、実使用する直前にこの保存液を希釈して０.０２５mg/l以下の低濃度銀イオン水にして植物の育成に利用する手段を採用した。
【００２３】
０.０２５mg/l以下の低濃度銀イオンは、植物根の伸長を促進することによって栽培植物が栽培土や養培液から栄養をより多く吸収できるようにし、結果的に栽培植物地上部の伸長を旺盛にするだけではなく、病原微生物感染や昆虫等による食害に対する抵抗力を高める効果をもたらすと考えられる。また、このような低濃度の銀イオンは植物内生微生物（エンドファイト）を抑制あるいは排除することがないことにより、植物・微生物の好ましい共生関係を崩壊させることがない。
【００２４】
植物の生育を健全ならしめかつ生長を促進するために植物と微生物との好ましい共生関係を増進させることは、低濃度銀イオンによる栽培植物の生育活性化の効果をさらに高める。このための手段として、植物栽培土壌微生物、植物栽培養液微生物と植物内部共生微生物の増殖を促進させるために、０.０２５mg/l以下の低濃度の銀イオンに加えて、０.００１mg/l以上２.０mg/l以下の実使用濃度で亜鉛イオンを添加することが有効であった。
【００２５】
次に、植物内部共生微生物の活性を高めかつ低濃度銀イオンによる栽培植物の生長促進効果をさらに高める手段として、０.００５mg/l以上５mg/l以下の実使用濃度でマグネシウムイオンを添加することが有効であった。また、この濃度範囲のマグネシウムイオンは、亜鉛イオンとは異なり植物内共生微生物の増殖促進だけではなく、植物の生長そのものにも低濃度銀イオンほどではないながら促進的な作用を示すことから、低濃度銀イオンとの併用は特に栽培植物の幼苗期における生長に効果的である。
【００２６】
このような植物内共生微生物の増殖の活性化は、亜鉛イオン及びマグネシウムイオンに限らず、第一鉄イオン、第２鉄イオン、コバルトイオン、ニッケルイオン、銅イオン、カリウムイオン、硝酸イオン、リン酸イオン、タングステン酸イオン、モリブデン酸イオンを、それぞれ実使用濃度として０.００１mmol/l以上２mmol/l以下の濃度で添加したコマツナ発芽発根試験の場合にも確認された。したがって、少なくとも上記１０種のイオンの試験に供した範囲の濃度での添加は、０.０２５ mg/l以下の低濃度銀イオンによる植物生長促進とは別に、植物内部共生微生物の増殖活性を高め結果的に植物の成長を促すための追加的手段として有効であると考えられた。
【００２７】
０.０２５mg/l以下の低濃度銀イオンの植物根の伸長促進効果が確認されたが、この低濃度銀イオンは還元されることによってその効果を失うことも知られた。植物栽培用の土壌や養液中には還元性化合物が含まれることから、いかにして低濃度銀イオンの効果を持続可能にするかが課題となる。本発明では、このような還元性化合物が存在する条件下でも０.００１ mg/l以上２０ mg/l以下の実使用濃度で光酸化触媒を添加することによって、銀が０.０２５mg/l以下の低濃度のイオン化した状態を維持することが可能であることを見出した。
【００２８】
前記の手段を実現するための光酸化触媒として、粒径が４００nm以下の二酸化チタンナノ粒子、三酸化タングステン-パラジウム合金ナノ粒子、三酸化タングステン-銅合金ナノ粒子の３種類が適用可能である。これらの光酸化触媒は、０.０２５mg/l以下の低濃度銀イオンに対しては、０.００１mg/l以上２０mg/l以下の実使用濃度で還元銀を銀イオンに再生するとともに、植物の生育に悪影響を与えることなく成長を促進することが可能であった。
【発明の効果】
【００２９】
本発明の植物育成環境改善剤として、４.０μmol/l以上の遊離ハロゲン分子、ハロゲン酸化合物、亜ハロゲン酸化合物、次亜ハロゲン酸化合物、クロラミン、ブロモアミン等のハロゲン化合物を含有しない水に、０．０００５mg/l以上０.０２５mg/l以下の低濃度の銀イオンを溶解して使用することにより、植物の発芽発根後の幼茎と幼根の伸長を促進する効果が得られる。特に、この本発明の効果としての植物ルート部の旺盛な伸長を誘発できることから、植物による栄養素の摂取と水分の吸収を旺盛にすることができるという利点がある。その結果として、植物病に対する免疫力や昆虫等による食害に対する植物自体の抵抗力を増強できる効果が生まれる。
【００３０】
０．０００５mg/l以上０.０２５mg/l以下の低濃度の銀イオンによる植物ルート部及びシュート部の伸長促進に加えて、０.００１ mg/l以上２.０mg/l以下の実使用濃度で亜鉛イオンを添加した植物育成環境改善剤を使用することにより、植物の内部共生微生物の増殖活性を高めることが可能となる。これは、０．０００５mg/l以上０.０２５mg/l以下の低濃度の銀イオンは土壌微生物や養液微生物や植物内部共生微生物の増殖活性にほぼ影響を与えないことに起因し、その銀イオンの存在とは独立して、０.００１ mg/l以上２.０mg/l以下の亜鉛イオンによる微生物の増殖活性特に植物内部共生微生物の増殖活性増進の効果を十分に発揮できる。この内部共生微生物の増殖が旺盛化することにより、植物の生育をさらに増進できるという利点がある。
【００３１】
同様に、０．０００５mg/l以上０.０２５mg/l以下の低濃度の銀イオンを含む水溶液に０．００５mg/l以上５mg/l以下の実使用濃度でマグネシウムイオンを添加することも、亜鉛イオンの添加と同様に植物内部共生微生物の増殖活性の増進に有意な効果をもたらす。亜鉛イオンを添加した場合との相違点は、０.００５mg/l以上５ mg/l以下の実使用濃度でマグネシウムイオンが植物内部共生微生物の増殖活性を亢進するだけでなく、銀イオンほどではないが植物幼苗ルートの伸長を促進することである。この特長によって、マグネシウムイオンは銀イオンとの併用により直接的に植物生育に対する相乗効果を発揮できるという利点がある。
【００３２】
０．０００５mg/l以上０.０２５mg/l以下の低濃度の銀イオンが植物ルート及びシュートの伸長に効果的であることが知られたが、植物生育の場である土壌や養培液に還元性物質が多く存在する環境では、その低濃度銀イオンの効果は次第に失われる。このような課題を解決するために、０．０００５mg/l以上０.０２５mg/l以下の低濃度の銀イオン水溶液に、光酸化触媒である平均一次粒子径が４００nm以下の微粒状二酸化チタン、三酸化タングステン-パラジウム合金粒子、三酸化タングステン-銅合金粒子のいずれかを０.００１mg/l以上２０ mg/l以下の実使用濃度で添加することで、還元性物質と反応することで還元された銀イオンを銀イオンに再生することによって添加した銀イオンの効果を継続的に得ることが可能となる。
【００３３】
以上に記載したように、０．０００５mg/l以上０.０２５mg/l以下の低濃度の銀イオンを本発明の方法に従って伸長期の植物に与えることで、植物の健全な生育を可能にできる。これより、植物が本来持っている病原微生物に対する免疫能力や昆虫等による食害に対する抵抗能力を引き出し、従来栽培植物の病害や食害を防止するためにどうしても必要であった消毒剤や殺虫剤等の農薬を使用することなく、あるいはそのような農薬の使用量を最小限にして、植物栽培をより安全で安心なものに転換し、さらには環境配慮型に転換できる利点がある。その効果として、農業・林業・園芸・緑地造成といった植物栽培によって成立している産業の持続的な発展を可能にする。
【００３４】
本発明においては、実使用濃度が０．０００５mg/l以上０.０２５mg/l mg/l以下の低濃度の銀イオンを含み４.０μmol/l以上のハロゲン化物を含まない溶液に、０.００１mg/l以上２.０mg/l以下の実使用濃度の亜鉛イオン及び／又は０.００５mg/l以上５.０mg/l以下の実使用濃度のマグネシウムイオンを添加し、又は必要に応じて平均一次粒子径が400 nm以下の光酸化触媒として二酸化チタン粒子又は三酸化タングステン-パラジウム合金粒子又は三酸化タングステン-銅合金粒子を０.００１mg/l以上２０mg/l以下の実使用濃度で混合して、実際の使用に供する。しかし、このような低濃度の銀イオンの溶液又はゾル液を調製した後に実使用のために保存することは、低濃度の銀イオンを長期間安定的に含有させておくことが困難なだけではなく、実施例に示したように数トン規模の大量の溶液又はゾル液として調製し保存するための容器と保存敷地及び使用現場への運搬費が必要とされる。
【００３５】
これらの必要性を回避するために、本発明ではこれらの各イオンの濃度及び光酸化触媒の濃度を実使用濃度の１００倍から１００００倍の高い濃度で含有する希釈用原溶液及び希釈用原ゾル液として作製し保存する。その作製保存後の使用の際に、これらを１００倍から１００００倍に使用現地にて調達できる地下水及び／又は河川水及び／又は水道水等の農業用水を用いて希釈し、各イオン及び光酸化触媒の濃度が実使用濃度となるように調製し、できるだけ保存することなく速やかに農地・林地・緑地（芝地等）・盆栽等において植物育成環境改善剤として使用する方法を採用することが有利である。なお、上記希釈用水が４.０ μmol/l以上の遊離ハロゲン分子等を含む場合には、チオ硫酸塩等の脱ハロゲン剤を用いて希釈用水を脱ハロゲン化した後に使用することが使用方法として重要である。
【図面の簡単な説明】
【００３６】
【図１】供試細菌（Pseudomonas putida, Escherichia coli, Bacillus subtilis）の各銀イオン濃度液に３０分暴露した後の生残率
【図２】銀イオン水溶液保存原液調製直後の銀イオン濃度と、その原液を１２０日間常温でポリエチレン瓶に密封保存した後の原液に残存する銀イオンの残存率との関係
【図３】０.０１０mg/lの銀イオンと結合残留塩素としてハロゲン化合物であるクロラミンを１.０ μmol/lから７.０μmol/lを添加した寒天培養基を用いて発芽発根試験を行なった場合の、播種後５日目のコマツナ幼茎長及び幼根長とクロラミン濃度との関係
【図４】発芽試験用寒天培養基調製に使用した水の銀イオン濃度と播種後５日目の平均コマツナ幼茎長及び幼根長との関係（残留結合塩素濃度４.０μmol/l以下に脱塩素した水で希釈調製場合）
【図５】銀イオン濃度０.０１０mg/lと亜鉛イオンを添加した水で調製した発芽試験用寒天培養基の添加亜鉛イオン濃度と播種後５日目の平均コマツナ幼茎及び幼根長との関係（残留結合塩素濃度４.０μmol/l以下に脱塩素した水で希釈調製場合）
【図６】銀イオン濃度０.０１０mg/lとマグネシウムイオンを添加した水で調製した発芽試験用寒天培養基の添加マグネシウムイオン濃度と播種後５日目の平均コマツナ幼茎長及び幼根長との関係（残留結合塩素濃度４.０μmol/l以下に脱塩素した水で希釈調製場合）
【図７】銀イオン０.０１０mg/lとジチオトレイトール０.１０mg/lを添加した水で調製した寒天培養基を用いて発芽発根試験を行なった際の、コマツナ播種後３日目と５日目の平均幼茎長及び幼根長のジチオトレイトールを添加しなかった寒天培養基を用いた場合との比較
【図８】銀イオン濃度０.０２５mg/lとジチオトレイトール濃度０.２５mg/lの反応水溶液に、光酸化触媒として平均径１００nmサイズの二酸化チタンナノ粒子を０.００１mg/l から３０mg/lの濃度で添加した溶液により発芽用寒天培養基を作成し、白色蛍光灯２５００lx照射で２２℃に設定した人工気象機内で１３時間蛍光灯照射・１１時間蛍光灯非照射条件の下でコマツナの発芽発根試験を行なった際の、添加した二酸化チタンナノ粒子濃度と播種後５日目の平均コマツナ幼茎長及び幼根長との関係
【発明を実施するための形態】
【００３７】
以下、本発明を実施するための形態を、実施例１〜８によって例示する。
【実施例】
【００３８】
＜実施例1＞
水稲育苗における実施例：  銀イオン濃度が８mg/lのイオン溶解原液を、ハロゲン化合物が４.０μmol/l未満となるように脱ハロゲンした水を用いて１／５００濃度に希釈し、銀イオン濃度が０.０１６mg/lとなるよう調製した生育活性化液を、苗床材０.０４平方メートルあたり２００ml均等に添加した後に水稲種籾を３２ g播種して育苗したところ、播種から１２日後の種籾３０粒あたりの平均苗丈（茎丈）と平均根長は、銀イオンを加えずに脱ハロゲンした水を用いて１／５００に希釈したものを苗床材０.０４平方メートルあたり２００ml均等に添加して水稲種籾を３２ g播種した場合の播種から１２日後の種籾３０粒あたりの平均苗丈（茎丈）と平均根長に比較して、それぞれ１.０６倍と１.５５倍に増大し、濃度０.０１６mg/lの銀イオン活性化液によって水稲苗の生育（特に苗根の生長）が大きく促進された。
【００３９】
＜実施例2＞
大豆栽培における実施例：耕起前の大豆畑１a（幅５m、長さ２０m）に対して、銀イオン２５ mg/lの濃度のイオン溶解原液を、ハロゲン化合物が４.０μmol/l未満となるように脱ハロゲンした水を用いて１／１０００濃度に希釈した生育活性化液０.５ｋlを均等に散布し、その後平均深さ３０cmの設定で畑土壌を耕起した。対照区として同様に大豆畑１aを用い、上記生育活性化液を散布することなく平均深さ３０cmで畑土壌を耕起した。
耕起後の畑それぞれに畝幅５０ cm、畝間５０ cm、畝長２０mの５本ずつの畝立てを行い、株間隔４０cmで大豆を播種した。播種後平均シュート丈が約２５cmまで大豆が成長した時点で、銀イオン濃度が２５ mg/lのイオン溶解原液を、ハロゲン化合物が４.０μmol/l未満となるように脱ハロゲンした水を用いて１／１０００濃度に希釈して、実使用の銀イオン濃度が０.０２５mg/lとなるよう調製し、この生育活性化液０.１ｋlを霧器を用いて均等に葉面散布した。対照区の大豆畑には、この生育活性化液による葉面散布を行わなかった。
その後、青大豆（枝豆）として収穫し、上記イオン水処理区と対照区の畑における枝豆（鞘重量を含む）収量と三粒鞘以上の枝豆の全収穫枝豆に対する平均比率を調査した。その結果は、上記イオン水処理区は非処理の対照区と比較して、収量で１.２４倍、三粒鞘以上の枝豆比率で２.７２倍と収穫量及び枝豆品質の両方の点で優れていた。
【００４０】
＜実施例3＞
アスパラガス栽培における実施例：４月中旬（まだ発芽のない時期）に、連作中のアスパラガス畑１０aの栽培畝に銀イオン濃度５０mg/lの保存原液を脱ハロゲン水を用いて１／２０００濃度に希釈した生育活性化液を５００リットル均等に散布した。この第1回目の生育活性化液散布から３週後に、発芽したアスパラガスの幼茎に対して同上の方法で調製した生育活性化液５００リットルを第２回目として葉面散布方式により散布した。
その４週後まで生育アスパラガスの収穫を行なったが、同畑での前年度の収穫重量の１.４９倍のアスパラガスを収穫することができた。また、前年度においてはアスパラガス収穫後の立茎期において親茎の先端枯れが発生したが、上記２回散布したアスパラガスの収穫後の立茎作業期においては、そのような病気の発生は認められなかった。
【００４１】
＜実施例4＞
リンゴ栽培における実施例：開花期終了後１４日を経過した同一サイズのサンふじリンゴの栽培樹体５本に対して、銀イオン８ mg/lの濃度のイオン溶解原液を、ハロゲン化合物を４.０μmol/l未満となるように脱ハロゲンした水を用いて１／１０００濃度に希釈し、銀イオン濃度が０.００８ mg/lとなるよう調製した生育活性化液をリンゴ樹１本あたり１００リットルずつ葉面散布した。さらに開花期終了６０日後に、再び実使用液の銀イオン濃度が０.００８mg/lとなるように希釈調製した生育活性化液をリンゴ樹１本あたり１００リットルずつ葉面散布した。これ以外に、この生育活性化液を全く散布しなかった同一サイズのふじリンゴの樹体５本を対照区として、無農薬栽培によってその後の樹勢の経時変化と樹体１本あたりのリンゴ果実収穫量、平均果実サイズを調査した。
上記イオン液を２回噴霧した５本の樹体は、無農薬栽培にも拘わらずいずれも樹冠葉の繁茂が旺盛であった。一方、上記生育活性化液を噴霧しなかった５本の対照樹体は、５本のうち３本が真菌感染症である黒星病による病害を受け、樹冠葉の繁茂はイオン液を噴霧したリンゴ樹冠葉に比較して見かけ約半分ほどの繁茂状況であった。この対照区５本のうちの残り２本は黒星病の病害は軽微であったものの、イオン液を噴霧したリンゴ樹冠葉の繁茂状況に比較して見かけ上約６割程度にとどまった。
最終的なリンゴ収穫量は、頂花剪定と摘果により果実数を樹体１本あたりいずれも４００個になるように条件設定して調査したが、上記生育活性化液を噴霧した５本の樹体から収穫したリンゴの樹体１本あたりの平均リンゴ果実総重量及び平均LLサイズ果実比率は、生育活性化液を噴霧しなかった５本の樹体からの収穫した樹体１本あたりの平均リンゴ果実総重量及び平均LLサイズ果実比率に比較し、それぞれ１.４２倍及び２.１３倍と多かった。
【００４２】
＜実施例5＞
シクラメン栽培における実施例：５号ポット２０個に予め施肥を行なったシクラメン栽培土を７分半となるように入れ、そのうちの１０個のポットに、銀イオン濃度８mg/lの保存原液を脱ハロゲン水を用いて１／５００濃度に希釈した生育活性化液２００mlを給水し、栽培土を再混合したうえで１ポットあたり１個のシクラメン球根を植えつけた。残り１０個のポットには上記生育活性化液を添加することなくシクラメン球根を植えつけた。栽培土に生育活性化液を給水したポットでは、さらに球根植え付け１ヶ月後に、発芽したシクラメンに対して噴霧器を用いて同上の生育活性化液を1回だけ1株あたり５０mlずつ葉面散布した。
その後、シクラメンの初年度開花期（１１月から翌年６月）の１ポットあたりの累計開花数を測定したところ、上記生育活性化液を添加したポット１０個の平均累計開花数は、上記生育活性化液を添加しなかったポット10個の平均累計開花数の１.３６倍と多かった。また、生育活性化液を添加しなかったポットではシクラメンの開花期は４月中旬で終了したが、上記イオン液及び二酸化チタンナノ粒子を添加したポットでは、開花期が５月下旬まで延長した。
【００４３】
＜実施例6＞
芝生養生における実施例：ピシウム菌の感染によりパッチ状に黄変したゴルフ場の芝生（グリーン）を１aごとに２つの区画に区切り試験区とした。その一つの区画1 aに、銀イオン濃度20 mg/lの保存イオン原液をハロゲン化合物が４.０ μmol/l未満となるように脱ハロゲンした水を用いて１／１０００濃度に希釈し、実使用の銀イオン濃度が０.０２０ mg/lとなるよう調製した生育活性化液５００リットル散布した。一方、残りの区画１aには銀イオンを含まない脱ハロゲン処理した水のみを５００リットル散布した。
その後、通常の芝生管理を行いながら１.５ヶ月間芝養生を行なったところ、上記生育活性化液を散布した芝生においては、ピシウム菌によるパッチ黄変は見られなくなり病害のないグリーンと同様にまで回復し、その後３ヶ月経過後も病害は発生しなかった。一方、生育活性化液を散布しなかった芝生においては、ピシウム菌によるパッチ黄変病害が１ヶ月の芝生養生期間中において継続し、養生開始から２ヶ月経過後にパッチ黄変は一旦回復したが、さらに１.５ヶ月後の長雨後に再びパッチ黄変の病害が再発した。
【００４４】
＜実施例7＞
盆栽活性化における実施例：根腐れにより新芽の約２／３が枯れた状態となった8鉢の主幹全長４５cm〜５０cmのゴヨウマツ盆栽に対して、新しい８号長角盆栽鉢に盆栽専用土を入れ腐根を取り除いた後に移植した。その８鉢の移植盆栽のうち４鉢の盆栽に対して、銀イオン濃度８mg/lの保存イオン原液をハロゲン化合物が４.０μmol/l未満となるように脱ハロゲンした水を用いて１／１０００濃度に希釈し、実使用の銀イオン濃度が０.００８mg/lとなるよう調製した生育活性化液を盆栽土にかけるようにして各鉢に３００mlを散布した。その２日後に有機固形肥料を与えるとともに１日１回の水やりを行い戸外に設置したガラス温室内で回復の経過を観察した。８鉢のうち残り４鉢には、上記銀イオンを含まない脱ハロゲン処理した水のみ３００mlを盆栽土にかけるようにして散布し、その後のこの４鉢に対しても生育活性化液を供給した盆栽と同じ条件で施肥と水やりを行い、同一ガラス温室内で回復の経過を観察した。
上記生育活性化液水を与えた４鉢のゴヨウマツの盆栽は、移植後１４〜１６日目に新芽の発生が観察され、４鉢全ての樹体の再活性化が認められた。また、これら４鉢の盆栽の根の状態を観察したところ、いずれの盆栽根においても白い新生根毛が多数発生していることが確認された。一方、生育活性化液を供給しなかった盆栽４鉢のうち１鉢のみにおいて移植から２５日後に新芽の発生が認められ、新生根毛も上記生育活性化液を供給した盆栽に比較して約半分程度発生していることが確認できた。しかし、生育活性化液を供給しなかった盆栽の残りの３鉢においては、移植後４５日経過後も新芽の発生は認められなかった。６０日後に樹勢の回復が見られなかったこれら３鉢の盆栽の根の状態を観察したが、新生した根毛を確認することができなかった。
【００４５】
＜実施例8＞
上記の実施例に加えて、銀イオン濃度８mg/lの保存原液を塩素イオン及び臭素イオンを０.３mmol／l以下しか含まない地下水で希釈した０.０１６mg／lの銀イオン濃度の植物生育活性化液を提供し、育苗業者に委託してトマト、ナス、キウリ、ピーマン、ホウレンソウ、ハクサイ、キャベツ、レタス、ダイコン、ニンジン、ゴボウ、ダイズ、エンドウ、ピーナッツ、トウモロコシ、ネギ、スイカ、カボチャ、イチゴ、ブドウ、ブルーベリー、サクランボ、ナシ、リンゴ、カキ、イチジク、ミカン、スダチ、オリーブの各植物の育苗実験を行った。その結果、各植物の播種日から苗としての出荷が可能になるまでの育苗期間（日数）を、１５％以上短縮することができた。栽培期間が最も短縮したチンゲンサイ及びスギにおいては、播種日から苗出荷までの育苗期間を３９％削減することができた。
【産業上の利用可能性】
【００４６】
植物栽培における植物病発生防止のためにこれまで必要とされてきた消毒に代わって、０．０００５mｇ／ｌ以上０．０２５mｇ／ｌ以下の低濃度の銀イオンを根を有する伸長期の植物の生育活性化液として使用することにより、消毒剤及び殺虫剤等の農薬の使用量を削減するあるいは無使用化することができる。これにより、農業・林業・園芸・緑地造成などといった植物栽培によって成立している産業をより安全で安心なものに転換し、さらには環境配慮型でかつ持続可能な産業に変えることを可能にする。また、このように農薬使用量を減らすあるいは無くすことは、植物の栽培コストを低減できることから、農業・林業・園芸・緑地造成といった植物栽培が関与する産業の収益性を増大することができ、かつ農薬散布等の省力化によるこれら産業の労働力削減に寄与できる。さらには、０．０００５mｇ／ｌ以上０．０２５mｇ／ｌ以下の低濃度の銀イオンを含む水溶液を根を有する植物の生育活性化液として提供することは、上記のような農薬使用によって繰り返されてきた農薬耐性の植物病原微生物や食害昆虫等の新規な出現を防止するうえでも効果的である。
【符号の説明】
【００４７】
PCR：ポリメラーゼチェーンリアクションの略称。（DNAポリメラーゼを用いて、in vitroで生物が保有するDNA分子の全部又は一部を連鎖的に増幅する酵素反応のこと。）
【００４８】
１６S rRNA：細菌(bacteria)及び古細菌（archaea）等の原核生物が有しているリボソームRNAの一種で、その鋳型となる１６S rRNA遺伝子は染色体DNA上にコードされている。
【要約】
【課題】植物栽培において必要とされる消毒剤等に代わって、土壌微生物、養培液微生物及び植物内部共生微生物を完全に排除することのない濃度範囲で、かつ植物の健全な成長促進を可能にする濃度の銀イオンを配合した水溶液を、植物栽培における消毒剤等の薬剤の使用を不要にする又は削減できる生育活性化液として提供する。
【解決手段】共生微生物を完全に排除しない銀イオンの濃度である０．０００５mg/l以上０.０２５mg/l以下の濃度の銀イオンを含有する水溶液を植物生育活性化液として提供する。この植物生育活性化液を用いることによって根を有する植物の生育を活性化させ、植物の健全な成長促進と生産量の増大を図る。
【選択図】図４【図１】
0006854031.tif 000002
【図２】
0006854031.tif 000003
【図３】
0006854031.tif 000004
【図４】
0006854031.tif 000005
【図５】
0006854031.tif 000006
【図６】
0006854031.tif 000007
【図７】
0006854031.tif 000008
【図８】
0006854031.tif 000009